(57)【要約】【課題】被記録媒体が帯電することによりゴミ、埃、インクミストなどの浮遊物が付着して前記被記録媒体を汚すことを、様々な厚みの被記録媒体に対して抑制する。【解決手段】被記録媒体Ｐに記録する記録部４と、被記録媒体Ｐを除電する除電部８と、除電部８を記録部４に対して移動させる移動部９と、を備える。このような構成にすることにより、被記録媒体Ｐが帯電することによりゴミ、埃、インクミストなどの浮遊物が付着して被記録媒体Ｐを汚すことを効果的に抑制する。【選択図】図１
2015123638.tif 000002
【特許請求の範囲】
【請求項１】
被記録媒体に記録する記録部と、
前記被記録媒体を除電する除電部と、
前記除電部を前記記録部に対して移動させる移動部と、
を備えることを特徴とする記録装置。
【請求項２】
請求項１に記載の記録装置において、
前記被記録媒体と前記記録部との距離を検出する検出部を備え、
前記移動部は、前記検出部が検出した前記距離に応じて、前記被記録媒体と接近する方向及び離間する方向に前記除電部を移動させることを特徴とする記録装置。
【請求項３】
請求項１又は２に記載の記録装置において、
前記被記録媒体を搬送する搬送部を備え、
前記移動部は、前記被記録媒体の搬送方向に沿って前記除電部を移動させることを特徴とする記録装置。
【請求項４】
請求項１又は２に記載の記録装置において、
前記被記録媒体を搬送する搬送部を備え、
前記記録部は、
インクを吐出するノズルが設けられるノズル面を有する記録ヘッドと、
前記記録ヘッドを搭載して前記被記録媒体の搬送方向と交差する交差方向に往復移動するキャリッジと、を有することを特徴とする記録装置。
【請求項５】
請求項３に記載の記録装置において、
前記記録部は、
インクを吐出するノズルが設けられるノズル面を有する記録ヘッドと、
前記記録ヘッドを搭載して前記被記録媒体の搬送方向と交差する交差方向に往復移動するキャリッジと、を有することを特徴とする記録装置。
【請求項６】
請求項４又は５に記載の記録装置において、
前記除電部は、前記キャリッジに搭載されていることを特徴とする記録装置。
【請求項７】
請求項６に記載の記録装置において、
前記除電部は、前記交差方向において前記記録ヘッドの両側に搭載されていることを特徴とする記録装置。
【請求項８】
請求項１から７のいずれか１項に記載の記録装置において、
前記除電部の駆動を制御する制御部を備えることを特徴とする記録装置。
【請求項９】
請求項８に記載の記録装置において、
前記制御部は、前記被記録媒体の種類、前記記録装置の設置場所、日時及び環境湿度の少なくともいずれか１つの情報に基づいて前記除電部の駆動を制御することを特徴とする記録装置。
【発明の詳細な説明】
【技術分野】
【０００１】
本発明は、記録装置に関する。
【背景技術】
【０００２】
従来から、被記録媒体に記録する記録装置が使用されている。このような記録装置においては、被記録媒体が帯電することによりゴミ、埃、インクミストなどの浮遊物が付着して、前記被記録媒体を汚す場合があった。そこで、例えば、特許文献１には、被記録媒体が帯電することにより浮遊したインクミストが被記録媒体に付着することを抑制するために、除電部としてのイオナイザーを備える記録装置が開示されている。
【先行技術文献】
【特許文献】
【０００３】
【特許文献１】特開２０１３−１０７３３０号公報
【発明の概要】
【発明が解決しようとする課題】
【０００４】
しかしながら、近年、被記録媒体として、様々な厚みのものが使用されており、特許文献１に開示されるような従来の記録装置においては、使用する被記録媒体によっては、該被記録媒体と除電部との距離が適切な距離とはならない場合があった。このような場合、被記録媒体が帯電してゴミ、埃、インクミストなどの浮遊物が付着して前記被記録媒体を汚すことを、前記除電部によって効果的に抑制することはできなかった。例えば、除電部としてイオナイザーを用いた場合、被記録媒体と除電部との距離が遠すぎると該被記録媒体にイオンが十分に届きにくくなり、被記録媒体と除電部との距離が近すぎるとイオンが該被記録媒体全体に拡散せず除電効果の強い部分と弱い部分のムラができる場合がある。  
また、被記録媒体の種類によって、被記録媒体の搬送方向における記録部と除電部との適切な距離が変わる場合がある。  
なお、特許文献１に開示される記録装置においては、イオナイザーの移動機構が設けられておらず、イオナイザーの位置は固定されているため、被記録媒体を適切に除電することが困難な場合があった。
【０００５】
そこで、本発明の目的は、被記録媒体が帯電することによりゴミ、埃、インクミストなどの浮遊物が付着して前記被記録媒体を汚すことを効果的に抑制することである。
【課題を解決するための手段】
【０００６】
上記課題を解決するための本発明の第１の態様の記録装置は、被記録媒体に記録する記録部と、前記被記録媒体を除電する除電部と、前記除電部を前記記録部に対して移動させる移動部と、を備えることを特徴とする。
【０００７】
本態様によれば、前記除電部を前記記録部に対して移動させる移動部を備えている。このため、前記被記録媒体の厚みや除電させたい部分の位置に対応して前記除電部を移動可能である。したがって、被記録媒体が帯電することによりゴミ、埃、インクミストなどの浮遊物が付着して前記被記録媒体を汚すことを効果的に抑制することができる。
【０００８】
本発明の第２の態様の記録装置は、前記第１の態様において、前記被記録媒体と前記記録部との距離を検出する検出部を備え、前記移動部は、前記検出部が検出した前記距離に応じて、前記被記録媒体と接近する方向及び離間する方向に前記除電部を移動させることを特徴とする。
【０００９】
本態様によれば、前記移動部は、前記検出部が検出した前記距離に応じて、前記被記録媒体と接近する方向及び離間する方向に前記除電部を移動させる。このため、厚みの異なる様々な被記録媒体を使用する場合であっても、夫々の被記録媒体の厚みに応じて、前記被記録媒体と接近する方向及び離間する方向に前記除電部を移動させることで、前記被記録媒体と前記除電部との距離を適切な距離とすることができる。  
なお、「前記被記録媒体と前記記録部との距離」とは、前記被記録媒体の記録がなされる面と、例えばインクジェット記録ヘッドのノズル面のような前記記録部の記録を行う部分と、の距離を意味する。
【００１０】
本発明の第３の態様の記録装置は、前記第１又は第２の態様において、前記被記録媒体を搬送する搬送部を備え、前記移動部は、前記被記録媒体の搬送方向に沿って前記除電部を移動させることを特徴とする。
【００１１】
本態様によれば、前記移動部は、前記被記録媒体の搬送方向に沿って前記除電部を移動させる。このため、前記搬送方向に沿う方向において適切な位置に前記除電部を移動させることができる。
【００１２】
本発明の第４の態様の記録装置は、前記第１又は第２の態様において、前記被記録媒体を搬送する搬送部を備え、前記記録部は、インクを吐出するノズルが設けられるノズル面を有する記録ヘッドと、前記記録ヘッドを搭載して前記被記録媒体の搬送方向と交差する交差方向に往復移動するキャリッジと、を有することを特徴とする。
【００１３】
インクを吐出するノズルが設けられるノズル面を有する記録ヘッドを搭載して前記交差方向に往復移動して記録するインクジェット記録装置では、被記録媒体が帯電することにより浮遊したインクミストが被記録媒体に付着しやすい。  
しかしながら、本態様によれば、このような構成の記録装置であっても、効果的に被記録媒体を除電することができるため、インクミストが付着して前記被記録媒体を汚すことを効果的に抑制することができる。
【００１４】
本発明の第５の態様の記録装置は、前記第３の態様において、前記記録部は、インクを吐出するノズルが設けられるノズル面を有する記録ヘッドと、前記記録ヘッドを搭載して前記被記録媒体の搬送方向と交差する交差方向に往復移動するキャリッジと、を有することを特徴とする。
【００１５】
インクを吐出するノズルが設けられるノズル面を有する記録ヘッドを搭載して前記交差方向に往復移動して記録するインクジェット記録装置では、被記録媒体が帯電することにより浮遊したインクミストが被記録媒体に付着しやすい。  
しかしながら、本態様によれば、このような構成の記録装置であっても、効果的に被記録媒体を除電することができるため、インクミストが付着して前記被記録媒体を汚すことを効果的に抑制することができる。
【００１６】
本発明の第６の態様の記録装置は、前記第４又は第５の態様において、前記除電部は、前記キャリッジに搭載されていることを特徴とする。
【００１７】
本態様によれば、前記除電部は、前記キャリッジに搭載されている。このため、前記記録ヘッドからインクを吐出する直前に、効果的に被記録媒体を除電することができるため、インクミストが付着して前記被記録媒体を汚すことを効果的に抑制することができる。
【００１８】
本発明の第７の態様の記録装置は、前記第６の態様において、前記除電部は、前記交差方向において前記記録ヘッドの両側に搭載されていることを特徴とする。
【００１９】
本態様によれば、前記除電部は、前記交差方向において前記記録ヘッドの両側に搭載されている。このため、前記除電部は、前記交差方向におけるどちらの方向に移動する際においても、前記記録ヘッドからインクを吐出する直前に、前記搬送方向において前記記録部に対して適切な位置において、効果的に被記録媒体を除電することができる。したがって、インクミストが付着して前記被記録媒体を汚すことを効果的に抑制することができる。
【００２０】
本発明の第８の態様の記録装置は、前記第１から第７のいずれか１つの態様において、前記除電部の駆動を制御する制御部を備えることを特徴とする。
【００２１】
ここで、「前記除電部の駆動を制御する」とは、前記除電部のオンとオフの制御のほか、前記除電部の駆動の強弱の制御など前記除電部のオンとオフの制御以外の制御も含む意味である。  
本態様によれば、前記除電部の駆動を制御する制御部を備える。このため、効果的に被記録媒体を除電しつつ、前記被記録媒体が帯電しにくく不必要なときには前記除電部をオフするなどにより電気代を抑制することができる。また、前記除電部をオンにし続けていると前記除電部にゴミ、埃、インクミストなどの浮遊物が付着して汚れやすくなるが、不必要なときに前記除電部をオフするなどにより前記除電部が汚れやすくなることを抑制できる。
【００２２】
本発明の第９の態様の記録装置は、前記第８の態様において、前記制御部は、前記被記録媒体の種類、前記記録装置の設置場所、日時及び環境湿度の少なくともいずれか１つの情報に基づいて前記除電部の駆動を制御することを特徴とする。
【００２３】
本態様によれば、前記制御部は、前記被記録媒体の種類、前記記録装置の設置場所、日時及び環境湿度の少なくともいずれか１つの情報に基づいて前記除電部の駆動を制御する。このため、前記被記録媒体が帯電しにくく不必要なときを前記被記録媒体の種類、前記記録装置の設置場所、日時及び環境湿度の少なくともいずれか１つから簡単に認識することが可能になる。
【図面の簡単な説明】
【００２４】
【図１】本発明の実施例１に係る記録装置を表す概略側面図。
【図２】本発明の実施例１に係る記録装置における除電部の移動部を表す概略背面図。
【図３】本発明の実施例１に係る記録装置のブロック図。
【図４】本発明の実施例２に係る記録装置における除電部の移動部を表す概略背面図。
【図５】本発明の実施例３に係る記録装置において記録部に対する除電部の位置及び移動方向を表す概略平面図。
【図６】本発明の実施例４に係る記録装置において記録部に対する除電部の位置及び移動方向を表す概略平面図。
【図７】本発明の実施例５に係る記録装置を表す概略平面図。
【発明を実施するための形態】
【００２５】
以下に、本発明の一実施例に係る記録装置について、添付図面を参照して詳細に説明する。  
［実施例１］（図１〜図３）  
最初に、本発明の実施例１に係る記録装置について説明する。  
図１は本実施例に係る記録装置１の概略側面図を表している。
【００２６】
本実施例の記録装置１は、記録を行うためのロール状の被記録媒体ＰのロールＲ１を支持する支持軸２を備えている。そして、本実施例の記録装置１は、被記録媒体Ｐを搬送方向Ａに搬送する際、支持軸２は回転方向Ｃに回転する。なお、本実施例では被記録面が外側になるように巻かれているロール式の被記録媒体Ｐを使用しているが、被記録面が内側になるように巻かれているロール式の被記録媒体Ｐを使用する場合は、支持軸２の回転方向Ｃとは逆回転してロールＲ１を送り出すことが可能である。  
また、本実施例の記録装置１は被記録媒体Ｐとしてロール式の被記録媒体を使用しているが、このようなロール式の被記録媒体を使用する記録装置に限定されない。例えば、単票式の被記録媒体を用いてもよい。
【００２７】
また、本実施例の記録装置１は、被記録媒体Ｐを搬送方向Ａに搬送するための、不図示の複数の搬送ローラーを備える搬送機構１１を備えている。該搬送機構１１には、プラテン３に支持された被記録媒体Ｐを加熱可能なプラテンヒーター５が設けられている。  
なお、本実施例のプラテンヒーター５はプラテン３と対向する位置に設けられ、被記録媒体Ｐの表面を３５℃から５０℃に加熱可能な赤外線ヒーターであるが、このようなヒーターに限定されず、プラテン３側から被記録媒体Ｐを加熱可能なヒーターを用いてもよい。ここで、好ましい赤外線の波長は０．７６〜１０００μｍである。一般的に、赤外線は波長によってさらに、近赤外線、中赤外線、遠赤外線に区分され、区分の定義は様々であるが、おおよそ波長域は、０．７８〜２．５μｍ、２．５〜４．０μｍ、４．０〜１０００μｍとなる。なかでも中赤外線を用いることが好ましい。
【００２８】
また、本実施例の記録装置１は、被記録媒体Ｐの搬送方向Ａと交差する方向Ｂに記録部としての記録ヘッド４を不図示のキャリッジに搭載して往復走査させつつ、複数のノズルが設けられたノズル面Ｆの該ノズルからインクを吐出して記録する記録機構１２を備えている。なお、本実施例の記録装置１は、記録ヘッド４を往復走査させて記録する記録機構１２を備えているが、後述の実施例５のように、インクを吐出するノズルを搬送方向Ａと交差する方向Ｂに複数設けた所謂ラインヘッドを備える記録装置でもよい。  
ここで、「ラインヘッド」とは、被記録媒体Ｐの搬送方向Ａと交差する方向Ｂに形成されたノズルの領域が、方向Ｂ全体をカバー可能なように設けられ、記録ヘッド又は被記録媒体の一方を固定し他方を移動させて画像を形成する記録装置に用いられる記録ヘッドである。なお、ラインヘッドの方向Ｂのノズルの領域は、記録装置が対応している全ての被記録媒体Ｐの方向Ｂ全体をカバー可能でなくてもよい。  
また、記録ヘッドのノズル領域を、被記録媒体Ｐの搬送方向Ａと交差する方向Ｂ全体をカバー可能なように設け、記録ヘッド又は被記録媒体の両方を移動させて画像を形成してもよい。
【００２９】
また、本実施例の記録装置１には、被記録媒体Ｐを除電する除電部８と、除電部８を記録ヘッド４に対して方向Ｄに移動させる移動部９と、が前記キャリッジに搭載されている。なお、本実施例において方向Ｄは鉛直上方向Ｚに沿う方向であり、プラテン３上における被記録媒体Ｐの搬送方向Ａは水平方向のうちの記録装置１の背面側から正面側に向かう方向Ｙであり、記録ヘッド４の往復移動する方向Ｂは鉛直上方向Ｚ及び方向Ｙと直交する方向Ｘに沿う方向である。ただし、このような構成に限定されない。
【００３０】
このように、本実施例の記録装置１は、被記録媒体Ｐに記録する記録ヘッド４と、被記録媒体Ｐを除電する除電部８と、除電部８を記録ヘッド４に対して移動させる移動部９と、を備えている。すなわち、このような構成によって、移動部９により、除電部８と記録ヘッド４との相対的な位置関係を変更することができる。このため、被記録媒体Ｐの厚みや除電させたい部分の位置に対応して除電部８を移動可能である。したがって、被記録媒体Ｐが帯電することによりゴミ、埃、インクミストなどの浮遊物が付着して被記録媒体Ｐを汚すことを効果的に抑制することができる構成になっている。
【００３１】
また、方向Ｂにおける記録ヘッド４の端部には、被記録媒体Ｐと記録ヘッド４との距離を検出する検出部としての光学センサー１４が設けられている。そして、移動部９は、後述の制御部２０（図３参照）の制御により、光学センサー１４が検出した前記距離に応じて、被記録媒体Ｐと接近する方向及び離間する方向Ｄに除電部８を記録ヘッド４に対して移動させることが可能な構成になっている。  
このため、厚みの異なる様々な被記録媒体Ｐを使用する場合であっても、夫々の被記録媒体Ｐの厚みに応じて、被記録媒体Ｐと接近する方向及び離間する方向Ｄに除電部８を記録ヘッド４に対して移動させることで、被記録媒体Ｐと除電部８との距離を適切な距離にすることができる。  
なお、本実施例において被記録媒体Ｐと記録ヘッド４との距離とは、ノズル面Ｆと被記録媒体Ｐの被記録面との間隔を意味する。
【００３２】
また、上記のように、本実施例の記録装置１は、被記録媒体Ｐを搬送する搬送部としての搬送機構１１を備え、記録ヘッド４は、インクを吐出するノズルが設けられるノズル面Ｆを有する。そして、本実施例の記録装置１は、記録ヘッド４を搭載して被記録媒体Ｐの搬送方向と交差する交差方向である方向Ｂに往復移動するキャリッジを有している。  
インクを吐出するノズルが設けられるノズル面Ｆを有する記録ヘッド４を搭載して方向Ｂに往復移動して記録するインクジェット記録装置では、被記録媒体Ｐが帯電することにより浮遊したインクミストが被記録媒体Ｐに付着しやすい。  
しかしながら、本実施例の記録装置１は、インクジェット記録装置であっても、効果的に被記録媒体を除電することができるため、インクミストが付着して前記被記録媒体を汚すことを効果的に抑制することができる。
【００３３】
また、上記のように、除電部８は、前記キャリッジに搭載されているため、記録ヘッド４からインクを吐出する直前に、効果的に被記録媒体Ｐを除電することができるため、インクミストが付着して被記録媒体Ｐを汚すことを効果的に抑制することができる。
【００３４】
搬送機構１１及び記録機構１２の被記録媒体Ｐの搬送方向Ａにおける下流側には、乾燥部としての赤外線ヒーターで構成されるアフターヒーター７により媒体支持部６に搬送された被記録媒体Ｐを乾燥させる乾燥機構１３を備えている。アフターヒーター７は、本実施例の記録装置１で用いられるインクを乾燥させるため、被記録媒体Ｐの表面を６０℃から１２０℃に加熱可能な赤外線ヒーターであるが、このようなヒーターに限定されない。また、乾燥部としては、赤外線ヒーター等の加熱装置のほか、ファン等の送風装置等であってもよい。
【００３５】
また、乾燥機構１３の被記録媒体Ｐの搬送方向Ａにおける下流側には、被記録媒体ＰをロールＲ２として巻き取り可能な巻取軸１０が備えられている。なお、本実施例では被記録面が外側になるように巻かれているロール式の被記録媒体Ｐを使用しているので、被記録媒体Ｐを巻き取る際、巻取軸１０は回転方向Ｃに回転する。一方、被記録面が内側になるように巻かれているロール式の被記録媒体Ｐを使用する場合は、回転方向Ｃとは逆回転してロールＲ１を巻き取ることが可能である。
【００３６】
次に、本実施例の記録装置１における除電部８の移動部９の構成について説明する。  
図２は、本実施例の記録装置１における除電部８の移動部９を表す概略背面図である。  
なお、移動部９の構成を容易に理解できるようにするため、除電部８は破線で表している。
【００３７】
図２において、除電部８にはラックネジ１９が取り付けられている。そして、ラックネジ１９は、ウォームネジ１８に螺合している。ここで、ウォームネジ１８は、支持部１７とともに記録ヘッド４（詳細にはキャリッジ）に取り付けられた除電部移動モーター１６の回転軸と接合されており、正方向及び逆方向に回転可能である。すなわち、ウォームネジ１８は、記録ヘッド４に対して回転可能に固定されている。そして、除電部移動モーター１６を駆動させてウォームネジ１８を正方向及び逆方向に回転させることにより、除電部８は記録ヘッド４に対して方向Ｄに移動する。  
なお、除電部移動モーター１６には、ウォームネジ１８の正方向及び逆方向の回転量を検出するロータリーエンコーダー１５が設けられている。
【００３８】
次に、本実施例の記録装置１における電気的な構成について説明する。  
図３は、本実施例の記録装置１のブロック図である。  
制御部２０には、記録装置１の全体の制御を司るＣＰＵ２１が設けられている。ＣＰＵ２１は、システムバス２２を介して、ＣＰＵ２１が実行する各種制御プログラム等を格納したＲＯＭ２３と、データを一時的に格納可能なＲＡＭ２４と接続されている。
【００３９】
また、ＣＰＵ２１は、システムバス２２を介して、記録ヘッド４を駆動するためのヘッド駆動部２５と接続されている。  
また、ＣＰＵ２１は、システムバス２２を介して、プラテンヒーター５及びアフターヒーター７を駆動するためのヒーター駆動部２６と接続されている。
【００４０】
また、ＣＰＵ２１は、システムバス２２を介して、キャリッジモーター２８、搬送モーター２９、繰出モーター３０、巻取モーター３１及び除電部移動モーター１６を駆動させるためのモーター駆動部２７と接続されている。  
ここで、キャリッジモーター２８は、記録ヘッド４を搭載したキャリッジを移動させるためのモーターである。また、搬送モーター２９は、搬送機構１１に設けられた複数の搬送ローラーを駆動するためのモーターである。また、繰出モーター３０は、支持軸２の回転機構であり、被記録媒体Ｐを搬送機構１１に繰り出すために支持軸２を駆動するモーターである。また、巻取モーター３１は、巻取軸１０を回転させるための駆動モーターである。そして、除電部移動モーター１６は、除電部８を記録ヘッド４に対して方向Ｄに移動するためのウォームネジ１８を回転させるためのモーターである。  
さらに、ＣＰＵ２１は、システムバス２２を介して、記録データ等のデータ及び信号の送受信を行うためのＰＣ３３及び光学センサー１４と接続される、入出力部３２と接続されている。
【００４１】
そして、ＣＰＵ２１は、システムバス２２を介して、除電部８を駆動するための除電部駆動部４０と接続されており、制御部２０は、除電部駆動部４０を制御することにより除電部８の駆動を制御する。  
ここで、「除電部８の駆動を制御する」とは、除電部８のオンとオフの制御のほか、例えば、ＰＣ３３からユーザーの指示を入力し該指示に従って除電部８の駆動の強弱の制御をするなど、除電部８のオンとオフの制御以外の制御も含む意味である。  
本実施例の記録装置１において制御部２０は除電部８の駆動を制御するため、効果的に被記録媒体Ｐを除電しつつ、被記録媒体Ｐが帯電しにくく不必要なときには除電部８をオフするなどにより電気代を抑制している。また、除電部８をオンにし続けていると除電部８にゴミ、埃、インクミストなどの浮遊物が付着して汚れやすくなるが、不必要なときに除電部８をオフするなどにより除電部８が汚れやすくなることを抑制している。
【００４２】
なお、制御部２０は、ＰＣ３３から、被記録媒体Ｐの種類、記録装置１の設置場所、日時及び環境湿度に関する情報の入力を受付け、被記録媒体Ｐの種類、記録装置１の設置場所、日時及び環境湿度の少なくともいずれか１つの情報に基づいて除電部８の駆動を制御することができる。このため、被記録媒体Ｐが帯電しにくく不必要なときを、被記録媒体Ｐの種類、記録装置１の設置場所、日時及び環境湿度の少なくともいずれか１つから簡単に認識することができる。
【００４３】
［実施例２］（図４）  
次に、実施例２の記録装置について、添付図面を参照して詳細に説明する。  
図４は、本実施例の記録装置における除電部８の移動部９を表す概略背面図である。なお、上記実施例と共通する構成部材は同じ符号で示しており、詳細な説明は省略する。  
なお、本実施例の記録装置１は、移動部９の構成以外は実施例１の記録装置１と同様の構成である。
【００４４】
図４で表されるように、本実施例の移動部９では、除電部８にラック３４が構成されている。そして、ラック３４には、ピニオン３５に噛合している。ここで、ピニオン３５は、記録ヘッド４（詳細にはキャリッジ）に取り付けられた除電部移動モーター１６の回転軸３６に取り付けられており、正方向及び逆方向に回転可能である。すなわち、ピニオン３５は、記録ヘッド４に対して回転可能に固定されている。そして、除電部移動モーター１６を駆動させてピニオン３５を正方向及び逆方向に回転させることにより、除電部８は記録ヘッド４に対して方向Ｄに移動する。  
なお、除電部移動モーター１６には、ウォームネジ１８の正方向及び逆方向の回転量を検出するロータリーエンコーダー１５が設けられている。
【００４５】
［実施例３］（図５）  
次に、実施例３の記録装置について、添付図面を参照して詳細に説明する。  
図５は、本実施例の記録装置において記録ヘッド４に対する除電部８の位置及び移動方向を表す概略平面図である。なお、上記実施例と共通する構成部材は同じ符号で示しており、詳細な説明は省略する。  
なお、本実施例の記録装置１は、記録ヘッド４に対する除電部８の位置、移動部９の配置及び移動方向以外は実施例１の記録装置１と同様の構成である。
【００４６】
図５で表されるように、本実施例の記録装置１では、除電部８は記録ヘッド４の往復移動方向である方向Ｂにおいて記録ヘッド４の方側端部に設けられている。そして、実施例１と同様の構成の移動部９を９０度傾けて配置された移動部９によって、搬送方向Ａに沿う方向Ｅに、除電部８を記録ヘッド４に対して移動可能である。
【００４７】
すなわち、上記について別の表現をすると、本実施例の記録装置１は、被記録媒体Ｐを搬送する搬送機構１１を備えており、移動部９は、被記録媒体Ｐの搬送方向Ａに沿って除電部８を記録ヘッド４に対して移動させることが可能な構成である。このため、搬送方向Ａに沿う方向Ｅにおいて適切な位置に除電部８を記録ヘッド４に対して移動させることができる。
【００４８】
［実施例４］（図６）  
次に、実施例４の記録装置について、添付図面を参照して詳細に説明する。  
図６は、本実施例の記録装置において記録ヘッド４に対する除電部８の位置及び移動方向を表す概略平面図である。なお、上記実施例と共通する構成部材は同じ符号で示しており、詳細な説明は省略する。  
なお、本実施例の記録装置１は、除電部８及び移動部９を方向Ｂにおいて記録ヘッド４の両側端部に設けていること以外は実施例３の記録装置１と同様の構成である。
【００４９】
図６で表されるように、本実施例の記録装置１は、除電部８及び移動部９が方向Ｂにおいて記録ヘッド４の両側端部に設けられている。そして、何れの除電部８も搬送方向Ａに沿う方向Ｅに、除電部８を記録ヘッド４に対して移動可能である。
【００５０】
すなわち、上記について別の表現をすると、本実施例の記録装置１では、除電部８は、方向Ｂにおいて記録ヘッド４の両側に搭載されている。このため、除電部８は、方向Ｂにおけるどちらの方向（図６において左側へ進む方向及び右側に進む方向）に移動する際においても、記録ヘッド４からインクを吐出する直前に、搬送方向Ａにおいて記録ヘッド４に対して適切な位置において、効果的に被記録媒体Ｐを除電することができる。したがって、インクミストが付着して被記録媒体Ｐを汚すことを効果的に抑制することができる。
【００５１】
［実施例５］（図７）  
次に、実施例５の記録装置について、添付図面を参照して詳細に説明する。  
図７は、本実施例の記録装置を表す概略平面図である。なお、上記実施例と共通する構成部材は同じ符号で示しており、詳細な説明は省略する。  
なお、本実施例の記録装置１は、記録部としてラインヘッド３７を備え、搬送方向Ａと交差する方向に延びる除電部３８を備えること以外は実施例１の記録装置１と同様の構成である。
【００５２】
図７で表されるように、本実施例の記録装置１は、記録部としてラインヘッド３７を備え、搬送方向Ａと交差する方向に延びる除電部３８を備えている。なお、２つの移動部３９によって除電部３８はラインヘッド３７に対して方向Ｄに移動可能な構成となっているが、移動部３９は実施例１の記録装置１における移動部９と同様の構成である。  
このような構成の記録装置１によっても、被記録媒体Ｐが帯電することによりゴミ、埃、インクミストなどの浮遊物が付着して被記録媒体Ｐを汚すことを効果的に抑制することができる。
【００５３】
［その他の実施例］  
上記実施例１、２及び５の記録装置は、被記録媒体Ｐの搬送方向Ａにおいて記録ヘッドの上流側に除電部８を備える構成であった。しかしながら、例えば、被記録媒体Ｐのセット位置が搬送方向Ａにおいて記録ヘッドの下流側にあり、被記録媒体Ｐをセットした後に、一度、搬送方向Ａにおいて記録ヘッドの上流側に被記録媒体Ｐを移動させてから該被記録媒体Ｐを搬送する構成の記録装置においては、搬送方向Ａにおいて記録ヘッドの下流側に除電部８を備える構成としてもよい。  
また、上記実施例の記録装置は方向Ｄ及び方向Ｅのうちのいずれかに除電部が記録部に対して移動可能な構成になっていたが、方向Ｄ及び方向Ｅの両方に移動可能な構成としてもよく、別の方向に移動可能な構成としてもよい。
【符号の説明】
【００５４】
１  記録装置、２  支持軸、３  プラテン、４  記録ヘッド（記録部）、
５  プラテンヒーター、６  媒体支持部、７  アフターヒーター、８  除電部、
９  移動部、１０  巻取軸、１１  搬送機構、１２  記録機構、１３  乾燥機構、
１４  光学センサー（検出部）、１５  ロータリーエンコーダー、
１６  除電部移動モーター、１７  支持部、１８  ウォームネジ、１９  ラックネジ、
２０  制御部、２１  ＣＰＵ、２２  システムバス、２３  ＲＯＭ、２４  ＲＡＭ、
２５  ヘッド駆動部、２６  ヒーター駆動部、２７  モーター駆動部、
２８  キャリッジモーター、２９  搬送モーター、３０  繰出モーター、
３１  巻取モーター、３２  入出力部、３３  ＰＣ、３４  ラック、３５  ピニオン、
３６  回転軸、３７  ラインヘッド、３８  除電部、３９  移動部、Ｆ  ノズル面、
Ｐ  被記録媒体、Ｒ１  被記録媒体のロール、Ｒ２  被記録媒体のロール
【図１】
2015123638.tif 000003
【図２】
2015123638.tif 000004
【図３】
2015123638.tif 000005
【図４】
2015123638.tif 000006
【図５】
2015123638.tif 000007
【図６】
2015123638.tif 000008
【図７】
2015123638.tif 000009